(57)【要約】【課題】光ファイバから被覆を除去する作業時の作業性並びに安全性を向上させることが可能な光ファイバの被覆除去具を提供すること。【解決手段】光ファイバの被覆を除去して光ファイバ素線を露出させる光ファイバの被覆除去具１は、光ファイバの被覆を除去する除去刃５が取り付けられた除去部材２と、手の指，腕或いは作業者近傍の構築物を含む支持部に除去部材を装着する装着ベルト３とを備え、装着ベルトによって支持部に装着した除去部材上に作業者の他方の手によって除去刃を横切って光ファイバを配置し、作業者の一方の手の除去部材を装着していない指の腹によって光ファイバを除去刃に押圧しつつ光ファイバを他方の手によって除去刃に直交する方向に移動させて被覆を除去する。【選択図】        図１
2008102441.tif 000002
【特許請求の範囲】
【請求項１】
光ファイバの被覆を除去して光ファイバ素線を露出させる光ファイバの被覆除去具であって、
前記光ファイバの被覆を除去する除去刃が取り付けられた除去部材と、
作業者の一方の手の指，腕或いは作業者近傍の構築物を含む支持部に前記除去部材を装着する装着ベルトと、
を備え、
前記装着ベルトによって前記支持部に装着した前記除去部材上に前記作業者の他方の手によって前記除去刃を横切って前記光ファイバを配置し、前記作業者の一方の手の前記除去部材を装着していない指の腹によって前記光ファイバを前記除去刃に押圧しつつ前記光ファイバを前記他方の手によって前記除去刃に直交する方向に移動させて前記被覆を除去することを特徴とする光ファイバの被覆除去具。
【請求項２】
前記装着ベルトは、装着する前記支持部の太さに合わせて装着長さを調整する互いに係脱自在な形止部材が取り付けられていることを特徴とする請求項１に記載の光ファイバの被覆除去具。
【請求項３】
前記除去部材は、当該除去部材の上面に前記光ファイバを位置決めするファイバ溝が前記除去刃に直交する方向に設けられていることを特徴とする請求項１又は２に記載の光ファイバの被覆除去具。
【請求項４】
前記装着ベルトは、前記除去部材を相対回転自在に支持する支持部材に取り付けられ、
前記除去部材及び前記支持部材は、固定手段によって互いの相対回転位置が固定されることを特徴とする請求項１〜３のいずれか一つに記載の光ファイバの被覆除去具。
【請求項５】
前記除去部材は、前記光ファイバを把持したホルダを位置決めする位置決め部が設けられていることを特徴とする請求項１〜４のいずれか一つに記載の光ファイバの被覆除去具。
【請求項６】
光ファイバの被覆を除去して光ファイバ素線を露出させる光ファイバの被覆除去具であって、
前記光ファイバの被覆を除去する除去刃が取り付けられた除去部材と、
前記除去刃と対応する位置に蓋側除去刃が設けられ、前記除去部材の上面を開閉自在に覆う蓋と、
作業者の一方の手の指，腕或いは作業者近傍の構築物を含む支持部に前記除去部材を装着する装着ベルトと、
を備え、
前記装着ベルトによって前記支持部に装着した前記除去部材上に前記作業者の他方の手によって前記除去刃を横切って前記光ファイバを配置した後、前記蓋を閉じて前記除去部材と前記蓋とによって前記光ファイバを把持し、前記光ファイバを前記他方の手によって前記除去刃に直交する方向に移動させることにより前記除去刃と前記蓋側除去刃とによって前記被覆を除去することを特徴とする光ファイバの被覆除去具。
【発明の詳細な説明】
【技術分野】
【０００１】
本発明は、光ファイバの被覆除去具に関するものである。
【背景技術】
【０００２】
従来、光ファイバを接続する場合、前処理として光ファイバの端部から被覆を除去している。このような被覆を除去する装置として、種々の被覆除去装置が提案されており、作業者が手に持って被覆を除去するものが多い（例えば、特許文献１参照）。
【０００３】
【特許文献１】特開２００６−１７１０９８号公報
【発明の開示】
【発明が解決しようとする課題】
【０００４】
ところで、光ファイバの接続作業を行う場合、多数組の光ファイバを接続することが多い。このため、被覆の除去作業においては、光ファイバから被覆を除去する都度、被覆除去装置を作業台等から取ったり置いたりしなければならず、被覆を除去する際の作業性が悪かった。しかも、被覆除去装置を作業台等から取ったり置いたりする際に、被覆除去装置を落としてしまうことがあり、高所作業車のバケット等に乗って作業している場合には、下にいる者の安全確保の上で問題があった。
【０００５】
本発明は、上記に鑑みてなされたものであって、光ファイバから被覆を除去する作業時の作業性並びに安全性を向上させることが可能な光ファイバの被覆除去具を提供することを目的とする。
【課題を解決するための手段】
【０００６】
上述した課題を解決し、目的を達成するために、請求項１に係る光ファイバの被覆除去具は、光ファイバの被覆を除去して光ファイバ素線を露出させる光ファイバの被覆除去具であって、前記光ファイバの被覆を除去する除去刃が取り付けられた除去部材と、作業者の一方の手の指，腕或いは作業者近傍の構築物を含む支持部に前記除去部材を装着する装着ベルトと、を備え、前記装着ベルトによって前記支持部に装着した前記除去部材上に前記作業者の他方の手によって前記除去刃を横切って前記光ファイバを配置し、前記作業者の一方の手の前記除去部材を装着していない指の腹によって前記光ファイバを前記除去刃に押圧しつつ前記光ファイバを前記他方の手によって前記除去刃に直交する方向に移動させて前記被覆を除去することを特徴とする。
【０００７】
また、請求項２に係る光ファイバの被覆除去具は、上記の発明において、前記装着ベルトは、装着する前記支持部の太さに合わせて装着長さを調整する互いに係脱自在な形止部材が取り付けられていることを特徴とする。
【０００８】
また、請求項３に係る光ファイバの被覆除去具は、上記の発明において、前記除去部材は、当該除去部材の上面に前記光ファイバを位置決めするファイバ溝が前記除去刃に直交する方向に設けられていることを特徴とする。
【０００９】
また、請求項４に係る光ファイバの被覆除去具は、上記の発明において、前記装着ベルトは、前記除去部材を相対回転自在に支持する支持部材に取り付けられ、前記除去部材及び前記支持部材は、固定手段によって互いの相対回転位置が固定されることを特徴とする。
【００１０】
また、請求項５に係る光ファイバの被覆除去具は、上記の発明において、前記除去部材は、前記光ファイバを把持したホルダを位置決めする位置決め部が設けられていることを特徴とする。
【００１１】
また、上述した課題を解決し、目的を達成するために、請求項６に係る光ファイバの被覆除去具は、光ファイバの被覆を除去して光ファイバ素線を露出させる光ファイバの被覆除去具であって、前記光ファイバの被覆を除去する除去刃が取り付けられた除去部材と、前記除去刃と対応する位置に蓋側除去刃が設けられ、前記除去部材の上面を開閉自在に覆う蓋と、作業者の一方の手の指，腕或いは作業者近傍の構築物を含む支持部に前記除去部材を装着する装着ベルトと、を備え、前記装着ベルトによって前記支持部に装着した前記除去部材上に前記作業者の他方の手によって前記除去刃を横切って前記光ファイバを配置した後、前記蓋を閉じて前記除去部材と前記蓋とによって前記光ファイバを把持し、前記光ファイバを前記他方の手によって前記除去刃に直交する方向に移動させることにより前記除去刃と前記蓋側除去刃とによって前記被覆を除去することを特徴とする。
【発明の効果】
【００１２】
本発明の光ファイバの被覆除去具は、装着ベルトによって作業者の手の指，腕或いは作業者近傍の構築物を含む支持部、例えば、作業者の指に装着して使用されるので、光ファイバから被覆を除去する除去作業の際に、被覆除去具を作業台等から取ったり置いたりする必要がないうえ、落とす心配がないので、光ファイバから被覆を除去する作業時の作業性並びに安全性を向上させることができるという効果を奏する。
【発明を実施するための最良の形態】
【００１３】
（実施の形態１）
以下に、本発明の光ファイバの被覆除去具にかかる実施の形態１を図面に基づいて詳細に説明する。図１は、実施の形態１の光ファイバの被覆除去具を示す斜視図である。図２は、図１に示す光ファイバの被覆除去具の正面図である。図３は、図１に示す光ファイバの被覆除去具の除去部材２に設けられる除去刃を示す斜視図である。
【００１４】
光ファイバの被覆除去具１（以下、単に「被覆除去具」という）は、図１に示すように、除去部材２と装着ベルト３とを備えており、作業者の手の指，腕或いは作業者近傍の構築物を含む支持部、例えば、作業者の手の指に装着して使用される。
【００１５】
除去部材２は、図１及び図２に示すように、本体２ａの上面に除去刃５を固定する凹溝２ｂが形成されると共に、本体２ａ上面の凹溝２ｂと直交する方向に光ファイバを位置決めするファイバ溝２ｃが設けられている。除去部材２は、本体２ａ下面にＤ環状の係止具２ｄ，２ｅが一体に形成され、係止具２ｄ，２ｅに装着ベルト３が係止されている。ここで、ファイバ溝２ｃは、横断面形状が円弧状に成形されているが、光ファイバを位置決めすることができれば円弧状の横断面形状に限定されるものではない。また、係止具２ｄ，２ｅは、被覆除去動作を円滑に行う上で、本体２ａ下面の凹溝２ｂ両側に対応する位置に形成することが好ましい。
【００１６】
装着ベルト３は、作業者の手の指，腕或いは作業者近傍の構築物を含む支持部、例えば、作業者の手の指に除去部材２を装着するベルトであり、図１及び図２に示すように、一端が除去部材２の係止具２ｄに固定され、他端は除去部材２の係止具２ｄに形止して巻き返され、巻き返した際に対向する面に取り付けた面ファスナー３ａ，３ｂによって端部が係止される。装着ベルト３は、装着する指等を含む支持部の太さに合わせて面ファスナー３ａ，３ｂによって装着長さを調整することができる。このため、被覆除去具１は、作業者の指や腕或いは作業者近傍の構築物、例えば、高所作業車のバケット内のハンドレール、作業現場の柱やハンドレール等を含む支持部に装着ベルト３によって装着して使用することができる。
【００１７】
除去刃５は、図３に示すように、平板状の本体５ａの上部中央に光ファイバの被覆を除去する刃部５ｂが形成されている。刃部５ｂは、本体５ａの上部中央に平面を厚さ方向に僅かに残して斜めに切り欠いて形成されている。このように上部中央の厚さを薄くすることにより、除去刃５は、光ファイバを押圧した際、上部中央の厚さを薄くしないものに比べて刃部５ｂが被覆に噛み込み易くなり、円滑に被覆を除去することができる。但し、除去刃５は、刃部５ｂを設けなくとも、光ファイバを押圧した際、光ファイバの被覆が刃部５ｂに対応する位置の上部の角に引っ掛けられるので、被覆を除去することができる。
【００１８】
以上のように構成される被覆除去具１は、光ファイバの融着接続作業をする際等に、予め装着ベルト３によって作業者の手の親指以外の指、例えば、図４に示すように、右手Ｒの人差し指Ｆに装着して使用される。このとき、装着ベルト３は、人差し指Ｆの概ね第一関節と第二関節の間に装着することが好ましい。また、装着ベルト３は、係止具２ｄ側の端部に面ファスナー３ａ，３ｂが設けられているので、作業者の指の太さに合わせて装着長さを簡単に調整することができ、作業者の作業のし易さに応じて人差し指と中指の両方に跨って装着して使用し、或いは中指、更には親指等に装着して使用することも可能である。このようにして人差し指Ｆに装着すると、被覆除去具１は、図示のように、除去部材２のファイバ溝２ｃが人差し指Ｆと略並行した状態になる。
【００１９】
そして、この状態で、被覆を除去する部分を除去刃５に合わせて除去部材２から前方へ所望長さ延出させてファイバ溝２ｃに単心の光ファイバ７を位置決めし、人差し指Ｆと親指Ｔで除去部材２を挟むようにして親指Ｔの腹で光ファイバ７を除去刃５に押圧する。このとき、親指Ｔは、長手方向と並行するようにして除去刃５の上に配置されるが、刃部５ｂの上面は平面であるので、除去刃５に沿って長手方向に動かしても何ら危険はない。
【００２０】
次に、図５に示すように、除去刃５に押圧した光ファイバ７を、除去刃５に直交する矢印で示す方向へ移動させる。すると、除去刃５に押圧された光ファイバ７は、刃部５ｂが被覆に噛み込むと共に、被覆が刃部５ｂ上部の角に引っ掛けられた状態で移動するため、被覆が刃部５ｂによって削られるようにして除去される。これにより、光ファイバ７は、図６に示すように、被覆７ａが除去されて先端に光ファイバ素線７ｂが露出する。
【００２１】
被覆除去具１は、以上のようにして光ファイバ７から被覆７ａを簡単に除去することができる。従って、被覆除去具１は、人差し指に装着した状態で被覆を除去すると共に、引き続く光ファイバのクリニングや接続等の作業を行うことができる。このため、被覆除去具１は、被覆除去具を作業台等に置いたり取ったりする必要がないうえ、指に装着していることから被覆の除去作業中に落とす心配がないので、被覆を除去する際の作業性及び安全性が向上する。また、被覆除去具１は、向きを逆にすれば左手の指に装着して使用することができる。上述のように、被覆除去具１は、光ファイバ７から被覆７ａを除去する除去部材２と、作業者の指に装着するための装着ベルト３があればよいので、非常に小型であり、指に装着しても他の作業の邪魔になることはない。
【００２２】
ここで、除去部材２は、必ずしも光ファイバ７を位置決めするファイバ溝２ｃを設けなくてもよい。但し、ファイバ溝２ｃがないと、親指Ｔの腹で除去刃５に押圧しているにも拘わらず、被覆除去の際に光ファイバ７が除去刃５に沿って長手方向へ滑り、光ファイバ素線７ｂに傷を付けてしまうことがある。このため、除去部材２にファイバ溝２ｃを設けない場合、除去刃５は、刃部５ｂの上部に光ファイバ７を位置決めする半円状の凹部５ｃ（図７参照）又はＶ溝状の凹部５ｄ（図８参照）を設けるとよい。このような凹部５ｃ，５ｄを除去刃５に設けると、被覆除去具１は、光ファイバ７が凹部５ｃ又は凹部５ｄに位置決めされて被覆７ａが円滑に除去されるうえ、光ファイバ素線７ｂに傷が付くことを回避することができる。
【００２３】
（変形例１）
実施の形態１の被覆除去具は、図９及び図１０に示す被覆除去具１０のように、除去部材２を着脱自在に支持する支持部材４に装着ベルト３を取り付け、除去部材２を支持部材４に着脱自在に支持させると共に、支持部材４に対する相対回転位置を調整して除去部材２を支持部材４に固定するようにしてもよい。
【００２４】
このとき、支持部材４は、図１１に示すように、本体４ａの中央にねじ孔４ｂが、ねじ孔４ｂの近傍に係合突起４ｃが、それぞれ設けられている。また、支持部材４は、係止具２ｄ，２ｅに代えて装着ベルト３を係止するＤ環状の係止具４ｄ，４ｅが下面に形成されている。
【００２５】
また、除去部材２は、図１２に示すように、本体２ａの底面に支持部材４のねじ孔４ｂと同じ大きさのねじ穴２ｆが設けられると共に、ねじ穴２ｆを中心としてねじ孔４ｂと係合突起４ｃとの距離を半径とする円周上に係合突起４ｃが係脱自在に係合する複数の係合穴２ｇが等間隔に設けられている。
【００２６】
このような構成とすることにより、被覆除去具１０は、係合突起４ｃが係合する係合穴２ｇを変更して除去部材２の支持部材４に対する相対回転位置を調整して組み付けることができる。そして、被覆除去具１０は、相対回転位置を調整して組み付けた後、支持部材４の底部からねじ孔４ｂに挿通するねじ６（図１０参照）によって除去部材２を支持部材４に固定することができる。このため、被覆除去具１０は、被覆除去具１と同様にして光ファイバ７から被覆７ａを簡単に除去することができ、被覆除去の作業性が向上する。しかも、被覆除去具１０は、右手のみならず、左手の指に装着して使用することができ、除去部材２の支持部材４に対する相対回転位置を調整することができるので、使用上の自由度が被覆除去具１に比べて格段に向上する。
【００２７】
ここで、被覆除去具１０は、除去部材２の支持部材４に対する相対回転位置を調整することができれば、係合突起を除去部材２に設け、複数の係合穴を支持部材４に形成してもよいし、係合突起や複数の係合穴を設けることなく、ねじ孔４ｂに挿通するねじ６によって相対回転位置を調整した除去部材２と支持部材４とを固定するようにしてもよい。
【００２８】
（変形例２）
また、実施の形態１の被覆除去具は、図１３に示す被覆除去具１５のように、光ファイバ７を把持したホルダ９を除去部材２に対して位置決めする位置決め部２ｈが本体２ａに連設されていてもよい。位置決め部２ｈは、ホルダ９の形状に対応した凹部２ｉが中央に形成され、凹部２ｉによってホルダ９を位置決めする。このようにして光ファイバ７の被覆を除去すると、光ファイバ７を把持した状態のホルダ９をそのまま融着接続機へ移動して接続作業をすることができる。ここで、ホルダ９は、支持台９ａに蓋９ｂがヒンジを介して開閉自在に取り付けられ、支持台９ａと蓋９ｂに設けた磁石によって蓋９ｂを閉状態に保持して光ファイバ７を把持する。
【００２９】
（実施の形態２）
次に、本発明の光ファイバの被覆除去具にかかる実施の形態２を図面に基づいて詳細に説明する。実施の形態１の被覆除去具は、除去部材の上部が開放され、光ファイバを作業者の親指の腹で除去刃に押圧して光ファイバから被覆を除去した。これに対して、実施の形態２の被覆除去具は、除去部材を覆う蓋を有しており、除去部材に設けた除去刃と蓋に設けた蓋側除去刃とによって光ファイバの被覆を除去する。図１４は、実施の形態２の被覆除去具の蓋を開放した状態を示す斜視図である。図１５は、実施の形態２の被覆除去具の蓋を閉じて光ファイバを把持した状態を示す斜視図である。
【００３０】
被覆除去具２０は、図１４に示すように、除去部材２１に蓋２２が開閉自在に取り付けられ、作業者の手の親指以外の指に除去部材２１を装着する装着ベルト２３を有しており、作業者の左手の指に装着する際の配置を示している。但し、被覆除去具２０は、実施の形態１の被覆除去具１と同様に、作業者の手の指，腕或いは作業者近傍の構築物を含む支持部、例えば、作業者の手の指に装着して使用することができる。
【００３１】
除去部材２１は、図１４に示すように、本体２１ａの上面に除去刃２５が固定され、除去刃２５と隣接する位置に除去した光ファイバの被覆を収納する収納溝２１ｂが設けられている。除去部材２１は、収納溝２１ｂを挟む本体２１ａ上面の一方に磁石２１ｃが埋設され、他方に凹部２１ｄが形成されている。そして、除去部材２１は、図１４及び図１５に示すように、端部の除去刃２５の中央に対応する位置に凹溝２１ｅが形成され、本体２１ａ下面にＤ環状の係止具２１ｆ，２１ｇが形成されている。
【００３２】
蓋２２は、図１４に示すように、除去部材２１の上面に被着される本体２２ａの被着面２２ｂに蓋側除去刃となる除去刃２５が固定され、除去部材２１に埋設した磁石２１ｃと対応する位置に磁石２２ｃが埋設されている。蓋２２は、端部の除去刃２５の中央に対応する位置に凹部２２ｄが形成され、側面下部に設けたヒンジ部２２ｅを凹部２１ｄに配置して除去部材２１と開閉自在に連結されており、除去部材２１に対して全開することができる。
【００３３】
装着ベルト２３は、作業者の手の親指以外の指に除去部材２１を装着するベルトであり、図１４及び図１５に示すように、係止具２１ｆ，２１ｇに挿通して係止され、端部を相互に係止する面ファスナー２３ａ，２３ｂ（図１７〜図１９参照）が取り付けられている。装着ベルト２３は、装着する前記親指等を含む支持部の太さに合わせて面ファスナー２３ａ，２３ｂによって装着長さを調整することができる。このため、被覆除去具２０は、作業者の手の指や腕或いは作業者近傍の構築物、例えば、高所作業車のバケット内のハンドレール、作業現場の柱やハンドレール等を含む支持部に装着ベルト２３によって装着して使用することができる。
【００３４】
除去刃２５は、図１４に示すように、平板状の本体２５ａの中央に光ファイバの被覆を除去する刃部２５ｂが形成されている。刃部２５ｂは、本体２５ａの上部中央に平面を厚さ方向に僅かに残して斜めに切り欠いて形成され、長手方向両側に比べて僅かに上方へ突出している。このため、刃部２５ｂは、蓋２２を閉じたときに、光ファイバを押圧して上下から被覆に噛み込みむので、１回の除去操作で被覆を除去することができる。但し、除去刃２５は、刃部２５ｂを設けなくとも、光ファイバを押圧した際、光ファイバの被覆が刃部２５ｂに対応する位置の上部の角に引っ掛けられるので、被覆を除去することができることは除去刃５と同じである。
【００３５】
以上のように構成される被覆除去具２０は、図１４に示す配置から装着ベルト２３を作業者の左手の親指以外の指、例えば、人差し指に係止して除去部材２１を装着し、被覆を除去する位置を除去刃２５の刃部２５ｂに合わせて光ファイバを配置する。ここで、被覆除去具２０は、実施の形態１の被覆除去具１と同様に、作業者の作業のし易さに応じて人差し指と中指の両方に跨って装着して使用し、或いは中指、更には親指等に装着して使用することも可能である。
【００３６】
次に、この状態で蓋２２を閉じて蓋２２の被着面２２ｂを除去部材２１の上面に被着すると、磁石２１ｃ，２２ｃの磁力によって、図１５に示すように、光ファイバ７が除去部材２１と蓋２２とによって把持される。このとき、除去刃２５は、刃部２５ｂが長手方向両側に比べて僅かに上方へ突出しているため、蓋２２を閉じると、刃部２５ｂが光ファイバ７の被覆に上下から噛み込む。
【００３７】
次いで、光ファイバ７を右手の指で挟み、図１５の右方へ移動させる。これにより、光ファイバ７は、上下から被覆に噛み込んだ刃部２５ｂによって、１回の除去操作で被覆を簡単に除去することができる。このとき、作業者は、左手の人差し指と親指で除去部材２１と蓋２２を挟むと、光ファイバ７を移動させる際に被覆除去具２０がぐらつかないので、被覆を円滑に除去することができる。このように、被覆除去具２０は、被覆除去具を作業台等に置いたり取ったりする必要がないうえ、指に装着して使用することから被覆の除去作業中に落とす心配がないので、被覆を除去する際の作業性及び安全性が向上する。しかも、被覆除去具２０は、除去された光ファイバ７の被覆が除去部材２１の収納溝２１ｂに回収されるので、被覆除去具１に比べて除去した光ファイバ７の被覆のゴミ処理も容易となる。
【００３８】
（変形例）
ここで、実施の形態２の被覆除去具２０は、図１６に示すように、除去部材２１と蓋２２との間に蓋２２を半開状態に保持するばね２７を配置してもよい。このとき、蓋２２は、磁石２２ｃを埋設するのに代えて、図１７に示すように、除去部材２１に埋設した磁石２１ｃと対応する位置に凹部２２ｆを形成し、凹部２２ｆにばね２７の一端を連結すると共に、ばね２７の他端に磁石２２ｃを取り付ける。ここで、図１７〜図１９は、ばね２７と磁石２１ｃ，２２ｃの関係を明示することを優先するため、除去刃２５を省略すると共に、部材相互の大小関係を無視して描いている。
【００３９】
このように、蓋２２を半開状態に保持すると、被覆除去具２０は、被覆を除去する位置を除去刃２５の刃部２５ｂに合わせた光ファイバ７の配置作業を妨げることがないうえ、人差し指に被覆除去具２０を装着した左手の親指によって蓋２２を閉じることができ、片手で簡単に閉操作をすることができる。このとき、被覆除去具２０は、蓋２２を閉じると、図１８に示すように、ばね２７が圧縮されて磁石２２ｃと共に凹部２２ｆに収容される。そして、被覆除去具２０は、磁石２１ｃと磁石２２ｃとの吸着を解除して蓋２２を開けば、蓋２２を全開状態にすることができる。
【００４０】
なお、実施の形態２の被覆除去具２０は、例えば、図１４示す配置から水平面内で向きを１８０°回転し、除去刃２５を左側に配置すれば、作業者の右手の指に装着して使用することができる。
【００４１】
また、被覆除去具２０は、実施の形態１の変形例１で説明した被覆除去具１０のように、除去部材２１を着脱自在に支持する支持部材に装着ベルト２３を取り付け、除去部材２１を支持部材に着脱自在に支持させると共に、支持部材に対する相対回転位置を調整して除去部材２１を支持部材に固定するようにしてもよい。
【００４２】
更に、被覆除去具２０は、実施の形態１の変形例２で説明した被覆除去具１５のように、光ファイバ７を把持したホルダ９を除去部材２１に対して位置決めする位置決め部が本体２１ａに連設されていてもよい。
【００４３】
なお、実施の形態１，２の被覆除去具は、単心の光ファイバ７から被覆を除去する場合について説明した。しかし、本発明の被覆除去具は、単心の光ファイバのみならず、多心の光ファイバであっても被覆を除去することができる。
【図面の簡単な説明】
【００４４】
【図１】実施の形態１の被覆除去具を示す斜視図である。
【図２】図１に示す被覆除去具の正面図である。
【図３】図１に示す被覆除去具の除去部材に設けられる除去刃を示す斜視図である。
【図４】図１に示す被覆除去具を人差し指に装着した状態を示す斜視図である。
【図５】人差し指に装着した図４に示す被覆除去具において、親指によって除去刃に押圧した光ファイバを移動し、被覆を除去する様子を示す斜視図である。
【図６】被覆が除去されて先端に光ファイバ素線が露出した光ファイバの正面図である。
【図７】除去刃の変形例を示す斜視図である。
【図８】除去刃の他の変形例を示す斜視図である。
【図９】実施の形態１の変形例１に係る被覆除去具を示す斜視図である。
【図１０】図９に示す被覆除去具の正面図である。
【図１１】図９に示す被覆除去具から除去部材を除去した斜視図である。
【図１２】図９に示す被覆除去具の除去部材を下方から見た斜視図である。
【図１３】実施の形態１の変形例２に係る被覆除去具を示す斜視図である。
【図１４】実施の形態２の被覆除去具の蓋を開いた状態を示す斜視図である。
【図１５】実施の形態２の被覆除去具の蓋を閉じて光ファイバを把持した状態を示す斜視図である。
【図１６】実施の形態２の被覆除去具の変形例を示す斜視図である。
【図１７】図１６に示す被覆除去具を一部破断して示す正面図である。
【図１８】図１７に示す被覆除去具の蓋を閉じた状態を示す正面図である。
【図１９】図１７に示す被覆除去具の蓋を全開にした状態を示す正面図である。
【符号の説明】
【００４５】
１                被覆除去具
２                除去部材
２ａ              本体
２ｂ              凹溝
２ｃ              ファイバ溝
２ｄ，２ｅ        係止具
２ｆ              ねじ穴
２ｇ              係合穴
２ｈ              位置決め部
２ｉ              凹部
３                装着ベルト
３ａ，３ｂ        面ファスナー
４                支持部材
４ａ              本体
４ｂ              ねじ孔
４ｃ              係合突起
４ｄ，４ｅ        係止具
５                除去刃
５ａ              本体
５ｂ              刃部
５ｃ，５ｄ        凹部
７                光ファイバ
７ａ              被覆
７ｂ              光ファイバ素線
９                ホルダ
１０，１５        被覆除去具
２０              被覆除去具
２１              除去部材
２１ａ            本体
２１ｂ            収納溝
２１ｃ            磁石
２１ｄ            凹部
２１ｅ            凹溝
２１ｆ，２１ｇ    係止具
２２              蓋
２２ａ            本体
２２ｂ            被着面
２２ｃ            磁石
２２ｄ            凹部
２２ｅ            ヒンジ部
２２ｆ            凹部
２３              装着ベルト
２３ａ，２３ｂ    面ファスナー
２５              除去刃
２５ａ            本体
２５ｂ            刃部
２７              ばね
Ｆ                人差し指
Ｔ                親指
【図１】
2008102441.tif 000003
【図２】
2008102441.tif 000004
【図３】
2008102441.tif 000005
【図４】
2008102441.tif 000006
【図５】
2008102441.tif 000007
【図６】
2008102441.tif 000008
【図７】
2008102441.tif 000009
【図８】
2008102441.tif 000010
【図９】
2008102441.tif 000011
【図１０】
2008102441.tif 000012
【図１１】
2008102441.tif 000013
【図１２】
2008102441.tif 000014
【図１３】
2008102441.tif 000015
【図１４】
2008102441.tif 000016
【図１５】
2008102441.tif 000017
【図１６】
2008102441.tif 000018
【図１７】
2008102441.tif 000019
【図１８】
2008102441.tif 000020
【図１９】
2008102441.tif 000021